(57)【要約】      （修正有）【課題】ジーンズ製品を中古風に仕上げる装置を提供する。【解決手段】回転可能な洗濯ドラム１２と複数の研磨部材１４とを備え、該洗濯ドラムは機体１６に回転可能に取り付けられ、該機体には該洗濯ドラムに水を注入するための送水管が設けられている。該複数の研磨部材は、該洗濯ドラム内に収容され、竹ブロックからなるものである。実施の場合、ジーンズ製品を該洗濯ドラム内に入れることでジーンズ製品を研磨部材と接触させ、該洗濯ドラム内に水を注入し、該洗濯ドラムの回転を操作する。【選択図】図１
0003222237.tif 000002
【実用新案登録請求の範囲】
【請求項１】
機体に回転可能に取り付けられた洗濯ドラムであって、それに水を注入するための送水管が該機体に設けられた回転可能な洗濯ドラムと、
該洗濯ドラムに収容され、竹の根っこが切断されてなる竹ブロックから構成された複数の研磨部材と、を備え、
ジーンズ製品が該洗濯ドラム内に入れられ、該洗濯ドラム内に水が注入され、該洗濯ドラムの回転が操作された場合、該複数の研磨部材とジーンズ製品との摩擦作用により、ジーンズ製品の色落ち及び／または中古風仕上げの効果を奏することを特徴とするジーンズ製品を中古風に仕上げる装置。
【請求項２】
該研磨部材の長さ、幅、高さはそれぞれ１〜１５ｃｍであることを特徴とする請求項１に記載のジーンズ製品を中古風に仕上げる装置。
【請求項３】
該研磨部材の硬度は１６５０〜１８００ボンドであることを特徴とする請求項１に記載のジーンズ製品を中古風に仕上げる装置。
【考案の詳細な説明】
【技術分野】
【０００１】
本考案は、ジーンズ製品を中古風に仕上げる装置に関し、特にジーンズ製品を研磨部材により中古風に仕上げる装置に関するものである。
【背景技術】
【０００２】
ジーンズ製品が予め研磨された様子を消費者が好むため、現在のジーンズ製品は、一般に例えば予め洗濯またはストーンウォッシュの処理により、不均一の色落ちが生じたり、中古風になったり、ないし一部の破損が発生したりする。
【０００３】
従来のジーンズ製品のストーンウォッシュ処理は、通常、洗濯ドラム内に天然の軽石（例えばシリコンクレイ、黄石、人造石等）が入れられ、軽石によるジーンズ製品への研磨により、ジーンズ製品が色落ち及び／または中古風の態様になるようにする。しかしながら、軽石によるジーンズ製品への洗濯には、いくつかの欠点がある。例えば、洗濯ドラムへの衝撃による磨耗、ジーンズ製品の脱線の損害が生じたり、排出された汚水に含まれた金属によって水源に汚染を及ぼしたりすることがある。また、天然軽石が磨耗しやすいため、天然軽石の大量採掘によって天然環境と資源の破壊が生じたりする。さらに、軽石によって研磨されたジーンズ製品には細砂の残留があるため、大量の清水での洗浄が必要となるのみならず、洗浄後の汚水には細砂が含まれるため、排水設備に閉塞が発生しやすくなり、また、洗濯物の洗浄が不十分である場合には衣服に付着されることによって人体に傷害を及ぼしてしまうことがある。
【０００４】
そこで、ジーンズ製品の色落ち及び／または中古風の態様になるようにするほか、上記ストーンウォッシュ処理の欠点を改善するためのジーンズ製品を中古風に仕上げる装置が提案されている。
【考案の概要】
【考案が解決しようとする課題】
【０００５】
本考案は、主として、大量のジーンズ製品の中古風仕上げ処理に適用し、安定的な洗浄品質、高い使用寿命、細砂廃棄物発生の解消、用水の節約、環境の保護等の効果を奏することができる、ジーンズ製品を中古風に仕上げる装置を提供することを目的とする。
【課題を解決するための手段】
【０００６】
本考案に係るジーンズ製品を中古風に仕上げる装置は、回転可能な洗濯ドラムと複数の研磨部材とを備え、該洗濯ドラムは機体に回転可能に取り付けられ、該機体には該洗濯ドラムに水を注入するための送水管が設けられている。該複数の研磨部材は、該洗濯ドラム内に収容され、竹ブロックからなるものである。実施の場合、ジーンズ製品を該洗濯ドラム内に入れることでジーンズ製品を研磨部材と接触させ、該洗濯ドラム内に水を注入し、該洗濯ドラムの回転を操作する。研磨部材とジーンズ製品との研磨作用により、ジーンズ製品の色落ち及び／または中古風仕上げの効果を奏することができる。
【考案の効果】
【０００７】
本考案に係るジーンズ製品を中古風に仕上げる装置によれば、下記の効果を奏することができる。
１．竹の根っこからなる研磨部材は気孔と所定の粗度を有するため、ジーンズ製品を中古風に仕上げる過程において、ジーンズ製品の繊維に傷付けることなく、歩留まりの向上を奏することができる。
２．竹ブロックからなる該研磨部材は石より低い硬度を有するため、洗濯ドラムの表面を損害することはない。さらに、該研磨部材の磨耗が生じにくいため、使用寿命が長い。
３．竹ブロックからなる研磨部材は汚泥を含まないため、ジーンズ製品を中古風に仕上げた後、大量の清水で洗浄する必要がないため、用水の節約と環境の保護の効果を奏することができる。
４．竹の根っこは、通常、竹製造業者により廃棄された不要の部位であるため、容易に取得することができる。そこで、該研磨部材は経済的かつ大量に生産可能であり、低製造コストの効果を奏することができ、ストーンウォッシュには天然軽石の大量採掘が必要であるという課題を解決することができる。
５．竹の根っこからなる研磨部材が何回か使用された後に残った残渣は直接焼却可能であるため、環境を汚染することはない。
【図面の簡単な説明】
【０００８】
【図１】本考案に係る実施例の中古風仕上げ装置の模式図である。
【図２】本考案に係る竹の根っこからなる研磨部材の模式図である。
【考案を実施するための形態】
【０００９】
図１は、本考案に係る一実施例の中古風仕上げ装置１０を示す。該中古風仕上げ装置１０は、ジーンズ製品を中古風または浅く仕上げるためのものである。ジーンズ製品とは、ジーンズ製品からなる衣服、ズボン、袋またはリュックサックを含むが、それらに限定されるものではない。中古風仕上げ装置１０は、回転可能な洗濯ドラム１２と、複数の研磨部材１４とを備える。洗濯ドラム１２は、機体１６に回転可能に取り付けられている。実行可能な実施例において、機体１６は工業洗濯機のハウジングであり、洗濯ドラム１２は工業洗濯機の回転ドラムである。しかしながら、本考案に係る洗濯ドラム１２は、工業洗濯機の回転ドラムに制限されるものではない。機体１６は、水が制御可能に送水管を介して洗濯ドラム１２内に入りかつ所定の水位に達した後に自動的に停止可能であるように該送水管（図示せず）に接続されている。機体１６には、洗濯ドラム１２の回転または停止を制御するスイッチ１８が設けられている。また、機体１６には、洗濯ドラム１２を蓋着するための開放可能なドラム蓋２０が設けられている。
【００１０】
該複数の研磨部材１４は、洗濯ドラム１２内に収容され、高強靭性と所定の体積とを有する竹ブロックからなる。好ましい実施例において、研磨部材１４は、竹の根っこ（または洗浄や修整された竹の根っこ）２２が切断されてなる竹ブロックから構成される。図２に示すように、研磨部材１４の長さ、幅、高さは、それぞれ１〜１５ｃｍである。竹の根っこ２２は、気孔、高強靭性、高繊維の特性を有し、また繊維表面に高い摩擦係数を有するため、竹ブロックからなる研磨部材１４は、優れた摩擦性能を有する。この実施例において、竹ブロックの硬度は約１６５０〜１８００ボンドであり、表面摩擦係数は約０．３５〜０．５５である。
【００１１】
本考案に係る中古風仕上げ装置１０によれば、実施の場合、中古風に仕上げるジーンズ製品２４を洗濯ドラム１２内に入れ、複数の研磨部材１４に接触させる。次に、ジーンズ製品２４と研磨部材１４とが完全に水中に浸入するまで洗濯ドラム１２に供水する。次に、洗濯ドラム１２の回転を操作し、研磨部材１４とジーンズ製品２４との接触摩擦により、ジーンズ製品２４に不均一な色落ちと中古風仕上げの効果を生じさせる。
【００１２】
本考案に係る研磨部材１４は、高強靭性かつ高繊維性の竹ブロックからなるため、ジーンズ製品２４との接触摩擦によってジーンズ製品に脱線の損害が生じることはない。また、研磨部材１４の磨耗が生じにくいため、使用寿命は長くなる。また、研磨部材１４の硬度が１６５０〜１８００ボンドであるため、洗濯ドラム１２への衝撃によって洗濯ドラム１２に磨耗が生じることはない。さらに、研磨部材１４に汚泥が生じることはないため、ジーンズ製品を中古風に仕上げた後、大量の清水で洗浄する必要はなく、排出された汚水によって水源に汚染を及ぼすことはない。また、竹の根っこ２２は竹の廃棄部位に属するため、容易に取得可能なものである。そこで、研磨部材１４は経済的かつ大量に生産可能であり、低コスト、環境保護の効果を奏することができる。
【００１３】
上記のように、これらの実施の形態は本考案の好ましい実施例の詳細な説明及び図面のみであり、本考案を制限するものではない。本考案の特許請求の範囲に基づいてなされる等価の変更や修飾は、本考案の技術範囲に入るものである。
【００１４】
以上のように、本考案では、機体に回転可能に取り付けられた洗濯ドラムであって、それに水を注入するための送水管が該機体に設けられた回転可能な洗濯ドラムと、該洗濯ドラムに収容され、竹の根っこが切断されてなる竹ブロックから構成された複数の研磨部材と、を備え、ジーンズ製品が該洗濯ドラム内に入れられ、該洗濯ドラム内に水が注入され、該洗濯ドラムの回転が操作された場合、該複数の研磨部材とジーンズ製品との摩擦作用により、ジーンズ製品の色落ち及び／または中古風仕上げの効果を奏することを特徴とするジーンズ製品を中古風に仕上げる装置とするものである。
【００１５】
また、該研磨部材の長さ、幅、高さはそれぞれ１〜１５ｃｍであるものとする。
【００１６】
また、該研磨部材の硬度は１６５０〜１８００ボンドであるものとする。
【産業上の利用可能性】
【００１７】
本考案に係るジーンズ製品を中古風に仕上げる装置によれば、下記の効果を奏することができる。
１．竹の根っこからなる研磨部材は気孔と所定の粗度を有するため、ジーンズ製品を中古風に仕上げる過程において、ジーンズ製品の繊維に傷付けることなく、歩留まりの向上を奏することができる。
２．竹ブロックからなる該研磨部材は石より低い硬度を有するため、洗濯ドラムの表面を損害することはない。さらに、該研磨部材の磨耗が生じにくいため、使用寿命が長い。
３．竹ブロックからなる研磨部材は汚泥を含まないため、ジーンズ製品を中古風に仕上げた後、大量の清水で洗浄する必要がないため、用水の節約と環境の保護の効果を奏することができる。
４．竹の根っこは、通常、竹製造業者により廃棄された不要の部位であるため、容易に取得することができる。そこで、該研磨部材は経済的かつ大量に生産可能であり、低製造コストの効果を奏することができ、ストーンウォッシュには天然軽石の大量採掘が必要であるという課題を解決することができる。
５．竹の根っこからなる研磨部材が何回か使用された後に残った残渣は直接焼却可能であるため、環境を汚染することはない。
【符号の説明】
【００１８】
１０  中古風仕上げ装置
１２  洗濯ドラム
１４  研磨部材
１６  機体
１８  スイッチ
２０  ドラム蓋
２２  竹の根っこ
２４  ジーンズ製品
【図１】
0003222237.tif 000003
【図２】
0003222237.tif 000004